(57)【要約】【課題】従来の機械式スイッチング装置の発光ペンに比べて、構造が簡単で、故障発生が減るだけでなくＬＥＤユニットには２つの発光部が埋設されて、明るさが優れ、影が生じなく、オン／オフの操作が簡便な発光ペンを提供すること。【解決手段】筆記用シャープおよびボールペン芯を収容するペン本体の先端開口部には２つの発光部１１ａが埋設され、発光するＬＥＤユニット５ｂを装着し、このＬＥＤユニット５ｂの（−）極はペンの内部金属板およびバネ等を通してバッテリー９に直接接続されて、（＋）極はＬＥＤユニット５ｂとバッテリー９との間にＩＣ基板８に連結されて、タッチセンサ１ａの感知によってオン／オフされる。【選択図】図１
2008201133.tif 000002
【特許請求の範囲】
【請求項１】
タッチセンサ式発光装置を側方ボタン式シャープペンシルに装着することにおいて、
本体部材、金属連結具、グリップ部材、バッテリーキャップ部および先端部材で構成され、
先端部材内に２つの発光部が埋設されたＬＥＤユニットが内蔵されて固定具によって結合され、
グリップ部材の一側で挿入されたペンシルユニットに先端部材が結合される構成において、
本体部材内にIＣ基板とバッテリーが内蔵され、
バッテリーの（−）極の伝達は、基板バネとIＣ基板を通して、金属のカムキャップ、カム装置部の金属板、カムバネ、絶縁管キャップ、及び絶縁管の外側溝に設置された金属板を経てＬＥＤユニットの（−）リードピンに接続され、
（＋）極の伝達は、バッテリーキャップ部の内側に装置されたキャップ金属具、本体部材の内側に設置された金属板、タッチセンサの感知によってオン／オフされるIＣ基板、、本体部材の内側に設置された金属板、金属連結具、及びグリップ部材の内側設置された金属板を経てＬＥＤユニットの（＋）リードピンに接続され、
２つの発光部が埋設されたＬＥＤユニットがタッチセンサによりオン／オフされることを特徴とする、タッチセンサ式発光ペン。
【請求項２】
タッチセンサ式発光装置をボールペンに適用することにおいて、
本体部材、金属連結具、グリップ部材、バッテリーキャップ部および先端部材で構成され、
先端部材内に２つの発光部が埋設されたＬＥＤユニットが内蔵されて固定具に結合される構成において、
バッテリーの（−）極の伝達は、基板バネとIＣ基板を通して、絶縁管キャップ、及び絶縁管の外側溝に設置された金属板を通して伝導されてＬＥＤユニットの（−）リードピンに接続され、
（＋）極の伝達は、バッテリーキャップ部の内側に装置されたキャップ金属具、本体部材の内側に設置された金属板、タッチセンサの感知によってオン／オフされるIＣ基板、本体部材の内側に設置された金属板、金属連結具、及びグリップ部材の内側に設置された金属板を経てＬＥＤユニットの（＋）リードピンに接続され、
２つの発光部が埋設されたＬＥＤユニットがタッチセンサによりオン／オフされることを特徴とする、タッチセンサ式発光ペン。
【発明の詳細な説明】
【技術分野】
【０００１】
本発明は、タッチセンサ式発光ペンに関し、より詳細には、暗いところまたは夜間に別途の照明なしにタッチセンサによってオン／オフされる自らのＬＥＤユニットを備えた発光ペンに関する。
【背景技術】
【０００２】
従来から発光ペンは多数公知であり、特に機械式スイッチング装置による発光ペンが知られている。
【発明の開示】
【発明が解決しようとする課題】
【０００３】
しかしながら、機械式スイッチング装置による発光ペンは、その構造が複雑で、故障が多発するだけでなく、ＬＥＤユニット内に埋設された発光部が一つであり、これは中心部からずれた位置に装着されるため、影が生じる問題があった。
【０００４】
そこで、本発明は、上記問題に鑑みてなされたものであり、本発明の目的とするところは、従来の発光ペンに比べて、スイッチング装置の構造が簡単で、故障の発生が減り、ＬＥＤユニットには２つの発光部が埋設されて、明るさが優れて影が生じず、オン／オフの操作を簡便にすることが可能な、新規かつ改良されたな発光ペンを提供することにある。
【課題を解決するための手段】
【０００５】
上記課題を解決するために、本発明のある観点によれば、タッチセンサ式発光装置を側方ボタン式シャープペンシルに装着することにおいて、本体部材、金属連結具、グリップ部材、バッテリーキャップ部および先端部材で構成され、先端部材内に２つの発光部が埋設されたＬＥＤユニットが内蔵されて固定具によって結合され、グリップ部材の一側で挿入されたペンシルユニットに先端部材が結合される構成において、本体部材内にIＣ基板とバッテリーが内蔵され、バッテリーの（−）極の伝達は、基板バネとIＣ基板を通して、金属のカムキャップ、カム装置部の金属板、カムバネ、絶縁管キャップ、及び絶縁管の外側溝に設置された金属板を経てＬＥＤユニットの（−）リードピンに接続され、（＋）極の伝達は、バッテリーキャップ部の内側に装置されたキャップ金属具、本体部材の内側に設置された金属板、タッチセンサの感知によってオン／オフされるIＣ基板、本体部材の内側に設置された金属板、金属連結具、及びグリップ部材の内側設置された金属板を経てＬＥＤユニットの（＋）リードピンに接続され、２つの発光部が埋設されたＬＥＤユニットがタッチセンサによりオン／オフされることを特徴とするタッチセンサ式発光ペンが提供される。
【０００６】
また、上記課題を解決するために、本発明の別の観点によれば、タッチセンサ式発光装置をボールペンに適用することにおいて、本体部材、金属連結具、グリップ部材、バッテリーキャップ部および先端部材で構成され、先端部材内に２つの発光部が埋設されたＬＥＤユニットが内蔵されて固定具に結合される構成において、バッテリーの（−）極の伝達は、基板バネとIＣ基板を通して、絶縁管キャップ、及び絶縁管の外側溝に設置された金属板を通して伝導されてＬＥＤユニットの（−）リードピンに接続され、（＋）極の伝達は、バッテリーキャップ部の内側に装置されたキャップ金属具、本体部材の内側に設置された金属板、タッチセンサの感知によってオン／オフされるIＣ基板、本体部材の内側に設置された金属板、金属連結具、及びグリップ部材の内側に設置された金属板を経てＬＥＤユニットの（＋）リードピンに接続され、２つの発光部が埋設されたＬＥＤユニットがタッチセンサによりオン／オフされることを特徴とするタッチセンサ式発光ペンが提供される。
【発明の効果】
【０００７】
本発明によれば、大衆的に広く用いられているシャープペンシル（Ａ）とボールペン（Ｂ）にタッチセンサ式発光装置を装着することによって、暗いところや夜間に別途の懐中電灯等を要せず、タッチセンサによってオン／オフさせて便利に用いられると共に、２つの発光部が埋設されたＬＥＤユニットを設置することによって、シャープペンシル先端部およびボールペン芯先端部による影が生じず、構造が簡単で、故障の発生を低減することができる。
【発明を実施するための最良の形態】
【０００８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【０００９】
本発明の一実施形態に係るタッチセンサ式発光シャープペンシルの斜視図である。また、図２は、図１のタッチセンサ式発光シャープペンシルの分離斜視図である。
【００１０】
まず、本発明のタッチセンサ１ａ式発光装置をシャープペンシル（Ａ）に適用する場合、本体部材１にはIＣ基板８が内蔵され、本体部材１の外部の側面にはタッチセンサ１ａが装置され、本体部材１の先端部を通してバッテリー９が内蔵され、バッテリーキャップ部４がねじ式で締められて、前記バッテリー９を固定する。本体部材１の先端開口部には先端部材５の一側を通してＬＥＤユニット５ｂが嵌合され、このＬＥＤユニット５ｂを通してシャープペンシルの先端部６ｂが挿入される。
【００１１】
前記ＬＥＤユニット５ｂとペンシル先端部６ｂは、固定具５ａが先端部材５に嵌合されて装着される。固定具５ａが装着される時にＬＥＤユニット５ｂのリードピン５ｃ、５ｄはピンホール１１ｃに挿入されるようになる。ペンシルユニット６は、絶縁管１０の一側（図３の下部側）から掛止め６ａまで挿入され、これは先端部材５にＬＥＤユニット５ｂとペンシル先端部６ｂを固定させた固定具５ａの一側（図３の上部側）に組み立てられる。
【００１２】
この時、固定具５ａの側面の固定具溝５ｅ部から突出されたＬＥＤユニット５ｂの（−）リードピン５ｄが、絶縁管１０の外部溝に挿入された金属板４（９ｄ）に挿入されて組み立てられる。
【００１３】
このように組み立てられた先端部材５は、グリップ部材３にねじ組み立てられ、組み立てられる際にＬＥＤユニット５ｂの（＋）リードピン５ｃがグリップ部材３内側に挿入されている金属板３（９ｃ）に挿入されて組み立てられる。
【００１４】
（−）極の導体の役割をする金属体の絶縁管キャップ１０ａが絶縁管１０の一側に挿入されて、前記金属板４（９ｄ）と接触されて組み立てられる。この絶縁管キャップ１０ａは、本体部材１に内蔵されるカム装置部１ｃのカムバネ８ｂに接触して（−）極が伝えられ、カム装置部１ｃの外部溝に挿入された金属板５（９ｆ）に沿ってこの一側に挿入されるカムキャップ１２を通して基板バネ８ａに伝えられ、バッテリー９の（−）極を伝達するようになる。
【００１５】
また、グリップ部材３と本体部材１をねじ式で締めて連結される金属連結具２は、金属板３（９ｃ）の（＋）極を伝達し、これは本体部材１の内側に挿入設置された金属板２（９ｂ）と接触してIＣ基板８と接触され、このIＣ基板８は本体部材１の内側に挿入設置された金属板１（９ａ）を通して、バッテリーキャップ部４内に形成されたキャップ金属具４ａを通して、バッテリー９の（＋）極に連結される。
【００１６】
前記シャープペンシル（Ａ）の作動は、本体部材１に側面に装置されたカムボタン１ｂを押すと、カム装置部１ｃが動くようになり、これはペンシルユニット６に力が伝えられて、固定具５ａの固定具ホール１１ｄの内部で引出具５ｅが作動して、シャープ芯６ｄを送り出してシャープペンシル先端部６ｂの一側に移送させて、筆記具の役割を果たすようになり、また本体部材１の外側に装置されたタッチセンサ１ａは、接触を感知してIＣ基板８をオン／オフさせてＬＥＤユニット５ｂを点灯する。
【００１７】
図３は本実施形態のタッチセンサ式シャープペンシル（Ａ）の電気配線を示した図であり、バッテリー９の（−）極は、基板バネ８ａとIＣ基板８を通して、金属のカムキャップ１２→カム装置部１ｃの金属板５（９ｆ）→カムバネ８ｂ→絶縁管キャップ１０ａ→絶縁管１０の外側溝に設置された金属板４（９ｄ）を経てＬＥＤユニット５ｂの（−）リードピン５ｄに接続される。
【００１８】
また、バッテリー９の（＋）極は、バッテリーキャップ部４の内側に装置されたキャップ金属具４ａ→本体部材１の内側に設置された金属板１（９ａ）→タッチセンサ１ａの感知によってオン／オフされるIＣ基板８→本体部材１の内側に設置された金属板２（９ｂ）→金属連結具２→グリップ部材３の内側に設置された金属板３（９ｃ）を経てＬＥＤユニット５ｂの（＋）リードピン５ｃに接続される。
【００１９】
前記金属板９ａ、９ｂ、９ｃ、９ｆは、本体部材１とグリップ部材３のねじ部およびキャップ１０ａ、１２部に係り密着されるように屈曲部９ｅが形成されている。
【００２０】
図４は、本発明の一実施形態に係るタッチセンサ式発光ボールペンの斜視図である。また、図５は、図４のタッチセンサ式発光ボールペンの分離斜視図である。本実施形態のタッチセンサ式発光装置をボールペン（Ｂ）に適用する場合は、本体部材１内部にIＣ基板８が内蔵され、一側先端部を通してバッテリー９が内蔵され、バッテリーキャップ部４がねじ式で締められて前記バッテリー９が固定される。本体部材１の先端開口部には先端部材５の一側でＬＥＤユニット５ｂが挿入され、固定具５ａと絶縁管１０は一体型となり、これはＬＥＤユニット５ｂが挿入された先端部材５に挿入され、ＬＥＤユニット５ｂのリードピン（５ｃ、５ｄ）はピンホール１１ｃに挿入されるようになる。  この時、固定具５ａ側面の固定具溝５ｅ部に突出されたＬＥＤユニット５ｂの（−）リードピン５ｄが、絶縁管１０の外部溝に挿入される金属板４９ｄに挿入されて組み立てられる。
【００２１】
このように組み立てられた先端部材５は、グリップ部材３にねじで組み立てられ、組み立てられる際にＬＥＤユニット５ｂの（＋）リードピン５ｃがグリップ部材３内側に挿入されている金属板３（９ｃ）に挿入されて組み立てられる。
【００２２】
ボールペン芯１０ｂは、絶縁管１０の一側を通して挿入され、絶縁管キャップ１０ａが嵌合されて、ボールペン芯の固定および（−）極の伝導の役割を果たす。従って、絶縁管１０の金属板３（９ｃ）は、絶縁管キャップ１０ａに接触され、これは基板バネ８ａに伝えられて、バッテリー９の（−）極を伝達する。
【００２３】
また、グリップ部材３と本体部材１をねじ式で締めて連結する金属連結具２は、金属板３（９ｃ）の（＋）極を伝達し、これは本体部材１の内側に挿入設置された金属板２（９ｂ）と接触してIＣ基板８と接触し、このIＣ基板８は本体部材１の内側に挿入設置された金属板１（９ａ）を通して、バッテリーキャップ部４内に装置されたキャップ金属具４ａを通して、バッテリー９の（＋）極と連結される。
【００２４】
前記ボールペン（Ｂ）は、ねじで締められた金属連結具２を開け、絶縁管キャップ１０ａを開けてボールペン芯１０ｂを交換でき、また本体部材１の外側に装置されたタッチセンサ１ａは、接触を感知してIＣ基板８をオン／オフしてＬＥＤユニット５ｂを点灯する。
【００２５】
図６は本発明のタッチセンサ式発光ボールペン（Ｂ）の電気配線を示した図であり、バッテリー９の（−）極の伝達は、基板バネ８ａとIＣ基板８を通して、絶縁管キャップ１０ａ→絶縁管１０の外側溝に設置された金属板４（９ｄ）を通して伝導してＬＥＤユニット５ｂの（−）リードピン５ｄに連結され、（＋）極の伝達は、バッテリーキャップ部４の内側に装置されたキャップ金属具４ａ→本体部材１の内側みに設置された金属板１（９ａ）→タッチセンサ１ａの感知によってオン／オフされるIＣ基板８→本体部材１の内側に設置された金属板２（９ｂ）→金属連結具２→グリップ部材３の内側に設置された金属板３（９ｃ）を経てＬＥＤユニット５ｂの（＋）リードピン５ｃに連結される。
【００２６】
図７は本発明のＬＥＤユニット５ｂの斜視図であり、前記ＬＥＤユニット５ｂは、貫通部１１ｂを通してシャープペンシル先端部６ｂおよびボールペン芯び先端部１０ｃが挿入されるように中心部が貫通されており、発光部１１ａはＬＥＤユニット５ｂの中の貫通部１１ｂの両側に各々埋設されており、このためにリードピン（５ｃ、５ｄ）は連結ピン５ｆで各々並列連結されて発光部１１ａに電気が供給され、これによって、明るさが優れて、筆記時シャープペンシル先端部６ｂおよびボールペン芯先端部１０ｃによる影が生じない。
【００２７】
図８は、図３および図６のＣ−Ｃ断面図であり、固定具５ａにペンシルユニット６およびボールペン芯１０ｂが挿入されるように固定具ホール１１ｄが貫通され、ＬＥＤユニット５ｂの（＋）リードピン５ｃと（−）リードピン５ｄが挿入されるようにピンホール１１ｃが貫通されており、これは先端部材５に挿入されたＬＥＤユニット５ｂを固定させて、他側に絶縁管１０が嵌められて固定、または一体型になって、ペンシルユニット６の引出具６ｃの作動空間となり、またボールペン芯１０ｂを交換し易い構造である。
【００２８】
図９は図３および図６のＤ−Ｄ断面図であり、固定具５ａのピンホール１１ｃを通過したリードピン５ｃ、５ｄが金属板３、４（９ｃ、９ｄ）に連結されるために固定具溝５ｅが備えられていることを示している。
【００２９】
シャープペンシル先端部６ｂおよびボールペン芯先端部１０ｃを保護するために、先端部材５を覆うキャップ部７を備えられ、これは筆記時にバッテリーキャップ部４に挿入できる。
【００３０】
また、このキャップ部７には、クリップ部７ａが備えられて、一側には凸レンズ７ｂが形成されて、キャップ部７を先端部材５に挿入した状態で照明器具として用いられる。
【００３１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００３２】
【図１】本発明の一実施形態に係るタッチセンサ式発光シャープペンシルの斜視図である。
【図２】図１のタッチセンサ式発光シャープペンシルの分離斜視図である。
【図３】図１のタッチセンサ式発光シャープペンシルの電気配線図である。
【図４】本発明の一実施形態に係るタッチセンサ式発光ボールペンの斜視図である。
【図５】図４のタッチセンサ式発光ボールペンの分離斜視図である。
【図６】図４のタッチセンサ式発光ボールペンの電気配線図である。
【図７】本発明のＬＥＤユニットの斜視図である。
【図８】図３および図６のＣ−Ｃ断面図である。
【図９】図３および図６のＤ−Ｄ断面図である。
【符号の説明】
【００３３】
Ａ    シャープペンシル
Ｂ    ボールペン
１    本体部材
１ａ    タッチセンサ
１ｂ    カムボタン
１ｃ    カム装置部
２    金属連結具
３    グリップ部材
４    バッテリーキャップ部
４ａ    キャップ金属具
５    先端部材
５ａ    固定具
５ｂ    ＬＥＤユニット
５ｃ    （＋）リードピン
５ｄ    （−）リードピン
５ｅ    固定具溝
５ｆ    連結ピン
６    ペンシルユニット
６ａ    掛止め
６ｂ    シャープペンシル先端部
６ｃ    引出具
６ｄ    シャープ芯
７    キャップ部
７ａ    クリップ部
７ｂ    凸レンズ
８    IＣ基板
８ａ    基板バネ
８ｂ    カムバネ
９    バッテリー
９ａ、９ｂ、９ｃ、９ｄ    金属板
９ｅ    コキム部
９ｆ    金属板
５１０    絶縁管
１０ａ    絶縁管キャップ
１０ｂ    ボールペン芯
１０ｃ    ボールペン芯先端部
１１ａ    発光部
１１ｂ    貫通部
１１ｃ    ピンホール
１１ｄ    固定具ホール
１２    カムキャップ
【図１】
2008201133.tif 000003
【図２】
2008201133.tif 000004
【図３】
2008201133.tif 000005
【図４】
2008201133.tif 000006
【図５】
2008201133.tif 000007
【図６】
2008201133.tif 000008
【図７】
2008201133.tif 000009
【図８】
2008201133.tif 000010
【図９】
2008201133.tif 000011